(57)【要約】      （修正有）【課題】大きなピボットを用いて大きな開閉扉を前後左右及び上下に動かす際の安定性を確保する。【解決手段】下側の隠しピボット丁番Ｆ’は扉Ｃの下側にケース21’とともに装着され、扉の下面から突出して扉Ｃを下から支えるピボット11’を備えている。前記ケース21’内で少なくとも左右方向に移動させ得る保持部材31’をケース21’内に備えている。前記保持部材31’をケース21’内で左右にスライドさせるための調整ネジ41’を、保持部材31’に螺合させてある。上側の隠しピボット丁番は、下側の場合とほとんど同じである。ただし、上側のピボットは扉Ｃに上面から突出する。ピボット受けは上側、下側とも支えられる位置を変更できる。【選択図】図１６
2006257861.tif 000002
【特許請求の範囲】
【請求項１】
扉の上側にケースとともに装着され、扉の上面から突出するピボットを備えた金具であって、前記ケース内で少なくとも左右方向に移動させ得る保持部材をケース内に備え、この保持部材内に前記ピボットを配置するとともに、前記保持部材をケース内で左右にスライドさせるための調整ネジを、保持部材に螺合させたことを特徴とする隠しピボット丁番。
【請求項２】
バネにより、上側のピボットをケースから突出する方向に付勢させたことを特徴とする請求項１記載の隠し丁番。
【請求項３】
扉の下側にケースとともに装着され、扉の下面から突出して扉を下から支えるピボットを備えた金具であって、前記ケース内で少なくとも左右方向に移動させ得る保持部材をケース内に備え、この保持部材内に前記ピボットを配置するとともに、前記保持部材をケース内で左右にスライドさせるための調整ネジを、保持部材に螺合させたことを特徴とする隠しピボット丁番。
【請求項４】
下側のピボットを受けるピボット受けに床着地調整ネジを備えたことを特徴とする請求項３記載の隠しピボット丁番。
【請求項５】
ピボットを受けるピボット受けの先端部を外突弧状とし、このピボット受けを支受する支え金具を前記ピボット受けの外突弧面と同一の凹弧面とこの凹弧面に連続してそれより低くなる同一の凹弧面とを有するものとしたことを特徴とする請求項１から４のいずれかに記載の隠しピボット丁番。
【請求項６】
ピボット受けと支え金具とが支え金具の２つの凹弧面でそれぞれ調整ネジにより連結され、いずれか一方の調整ネジを締め付け、他方の調整ネジを緩めることにより、ピボット受けの外突弧面を支え金具の一方の凹弧面に密接して固定し、他方の凹弧面ではピボット受けの外突弧面をこの凹弧面に対して浮いた状態とすることを特徴とする請求項５記載の隠しピボット丁番。
【請求項７】
請求項１、２、５、６のいずれかに記載の隠しピボット丁番が扉の上側に、また、請求項３、４、５、６のいずれかに記載の隠しピボット丁番が扉の下側に取り付けられ、上下２本のピボットを中心として扉を開閉させ得るようにしたことを特徴とする開閉扉。
【発明の詳細な説明】
【技術分野】
【０００１】
本発明は、扉の上下それぞれの側にケースとともに装着され、扉の上面及び下面から突出するピボットを中心として扉を開閉させるための金具と、それらを扉の上下それぞれの側に備えた開閉扉に関するものである。
【背景技術】
【０００２】
家具や下駄箱に代表される収納体の開口部に取り付けるための開閉扉とこの扉を枢支させるための枢支金具とが提案されている（例えば、特許文献１）。
【０００３】
【特許文献１】特許第２９９０４２９号公報
【０００４】
この場合に用いられる扉はあまり重くないので、それを枢支するための金具も小さいもので十分であり、また、この金具に備えられているピボットは小さくても（細くても）十分耐えられる。
【発明の開示】
【発明が解決しようとする課題】
【０００５】
しかしながら、家庭その他の場所で用いられるドア用の大きな開閉扉は極めて重く、それを枢支するための金具も十分な強度を要求されるから、このような開閉扉を枢支するために上記金具を利用することは無理である。また、上記の金具の場合において、扉の回動中心となるピボットは小さなケースの中に納められているだけであるから、大きなケース内に大きな開閉扉を枢支するための大きなピボットを納めるのにこの技術を適用することはできない。従って、大きなピボットを用いて大きな開閉扉を前後左右及び上下に動かす際の安定性をいかに確保するかが問題となる。
【０００６】
また、上記の金具では、ピボットに直接ネジ孔を穿ち、それに締め付けネジを直接ねじ込む方式を採り、締め付けネジの頭部とピボットがケースの調整穴を表裏面から締め付けることによりピボットを固定し、逆に、締め付けネジを緩めることによりピボットを左右に動かしている。従って、ピボットを左右に動かす際の安定性にも欠ける。
【課題を解決するための手段】
【０００７】
このように、小さい開閉扉を枢支するために提案された金具をドア用の大きな開閉扉に適用することには無理があり、大きくて重い開閉扉用のピボット金具の開発が望まれていた。本発明はこの目的を達成するために発案されたものである。
【０００８】
本発明における上側用の隠しピボット丁番は、扉の上側にケースとともに装着され、扉の上面から突出するピボットを備えている。そして、前記ケース内で少なくとも左右方向に移動させ得る保持部材をケース内に備えており、この保持部材内に前記ピボットを配置するとともに、前記保持部材をケース内で前後左右にスライドさせるための調整ネジを、保持部材に螺合させてある。
【０００９】
上側用の隠しピボット丁番は扉の上側にケースとともに装着され、扉の上面から突出するピボットと相手側である扉の下面から突出して扉を下側から支えるピボットとで扉を開閉させることができる。上側に位置するピボットはケース内で少なくとも左右に移動させ得る保持部材で保持されていて安定している。また、保持部材に螺合させてある調整ネジを締め付けたり、逆に、緩めることによって、扉の上側を安定した状態のもとに左右調整できる。
【００１０】
バネにより、上側のピボットをケースから突出する方向に付勢させておくのが良い。この場合には、扉の下面から突出しているピボットで扉を下側から支えておき、上側のピボットをバネの弾撥力に逆らって引っ込めておきながら位置合わせすると、バネの弾撥力でピボットが自動的に突出して所定位置に嵌まり込み、扉の上側を極めて簡単に所定位置に設置できる。
【００１１】
また、本発明における下側用の隠しピボット丁番は、扉の下側にケースとともに装着され、扉の下面から突出して扉を下から支えるピボットを備えている。そして、前記ケース内で少なくとも左右方向に移動させ得る保持部材をケース内に備えており、この保持部材内に前記ピボットを配置するとともに、前記保持部材をケース内で前後左右にスライドさせるための調整ネジを、保持部材に螺合させてある。
【００１２】
下側用の隠しピボット丁番は扉の下側にケースとともに装着され、扉の下面から突出するピボットと相手側である扉の上面から突出する上側の前記ピボットとで扉を開閉させることができる。下側に位置するピボットはケース内で少なくとも左右方向に移動させ得る保持部材で保持されていて安定している。また、保持部材に螺合させてある調整ネジを締め付けたり、逆に、緩めることによって、扉の下側を安定した状態のもとに左右調整できる。
【００１３】
下側のピボットを受けるピボット受けに床着地調整ネジを備えておくことが望ましい。床面がクッション性を有していて扉の重みで床面が多少沈下する場合において、この床着地調整ネジを締め付けたり、逆に、緩めると、下側のピボットを受けるピボット受けからの突出量を調整できる。従って、床面がクッション性を有していて扉の重みで床面が多少沈下する場合においても、扉を下側から安定して支えることができる。
【００１４】
一方、これらの隠しピボット丁番を用いた開閉扉や従来のピボット式の開閉扉では、扉と金具との隙間が大きい場合が多く、閉扉時に指が挟まれ損傷しやすいので、そのようなことがないようにすることが望まれている。また、扉の内側であって枠体の周囲に沿って戸当りを取り付ける場合があるが、開閉時扉がこの戸当りに当らないように調整できるようにしておくことが望ましい。
【００１５】
このような要望に応え得るために、本発明では、ピボットを受けるピボット受けの先端部を外突弧状とし、このピボット受けを支受する支え金具を前記ピボット受けの外突弧面と同一の凹弧面とこの凹弧面に連続してそれより低くなる同一の凹弧面とを有するものとしてある。
【００１６】
この場合には、図２１(a)の状態から同図(b)に示すように、ピボット受けの外突弧面が支え金具の高い凹弧面でなく低い凹弧面で支えられるようにその支受位置が変わることにより、ピボット受けと扉との隙間がＴからｔと小さくなり、閉扉時に指が挟まれにくくなる。
また、図２１(a)と同図(b)とを対比すれば明らかなように、ピボット受けの外突弧面の支えられる位置が変わっても扉との隙間ｕとＵが大きく変わることがなく、さらに、ピボット受けと支え金具との隙間Ｖも小さいので、扉を安定して支えることができる。
【００１７】
ピボット受けと支え金具とが支え金具の２つの凹弧面でそれぞれ調整ネジにより連結され、いずれか一方の調整ネジを締め付け、他方の調整ネジを緩めることにより、ピボット受けの外突弧面を支え金具の一方の凹弧面に密接して固定し、他方の凹弧面ではピボット受けの外突弧面をこの凹弧面に対して浮いた状態とすることが望ましい。
この場合には、図１９(b)の右側と左側に示すように、支え金具の左右２つの凹弧面（右側の凹弧面と左側の凹弧面）のいずれかの面でピボット受けが支えられ、いずれの場合にもピボット受けが安定して支えられるので、扉をより安定して支えることができる。
【００１８】
扉の上面から突出するピボットを備えるとともに、ケース内で少なくとも左右方向に移動させ得る保持部材をケース内に備え、この保持部材内に前記ピボットを配置するとともに、前記保持部材をケース内で左右にスライドさせるための調整ネジを、保持部材に螺合させて構成される隠しピボット丁番を扉の上側に取り付ける。また、扉の下面から突出して扉を下から支えるピボットを備えるとともに、ケース内で少なくとも左右方向に移動させ得る保持部材をケース内に備え、この保持部材内に前記ピボットを配置するとともに、前記保持部材をケース内で左右にスライドさせるための調整ネジを、保持部材に螺合させて構成される隠しピボット丁番を扉の下側に取り付ける。すると、大きくて重い扉を上下２本のピボットで枢支してそれらを中心としてスムーズに開閉できる。
【発明の効果】
【００１９】
請求項１記載の隠しピボット丁番を用いれば、大きくて重い扉の上側を安定した状態のもとに左右に調整できる効果がある。
【００２０】
請求項２記載の隠しピボット丁番を用いれば、大きくて重い扉の上側を極めて簡単に所定位置に設置できる効果がある。
【００２１】
請求項３記載の隠しピボット丁番を用いれば、大きくて重い扉の下側を安定した状態のもとに左右に調整できる効果がある。
【００２２】
請求項４記載の隠しピボット丁番を用いれば、床面がクッション性を有していて扉の重みで床面が多少沈下する場合においても、大きくて重い扉を下側から安定して支えることができる効果がある。
【００２３】
請求項５記載の隠しピボット丁番を用いれば、ピボット受けと扉との隙間が小さくなり、閉扉時に指が挟まれにくくなる。また、扉を安定して支えることができる効果がある。
【００２４】
請求項６記載の隠しピボット丁番を用いれば、扉をより安定して支えることができる効果がある。
【００２５】
請求項７記載の発明によれば、大きくて重い扉を上下２本のピボットで枢支してそれらを中心としてスムーズに開閉できる効果がある。
【発明を実施するための最良の形態】
【００２６】
本発明の好ましい実施の形態を、図面に基づいて詳細に説明する。
図１に示すように、本発明の隠しピボット丁番は、床面Ａの上に倒Ｕ字状の枠体Ｂを設置し、その開口部に大きくて重い扉Ｃを設置する場合に用いられるものである。そして、この隠しピボット丁番にはピボット受けを枠体に対して変位させることができない形式のものと、ピボット受けを枠体に対して変位させることができる形式のものとがある。図１〜図１１にピボット受けを枠体に対して変位させることができない形式のものを、図１２〜図２７にピボット受けを枠体に対して変位させることができる形式のものを示す。
【００２７】
まず、ピボット受けを枠体に対して変位させることができない形式の隠しピボット丁番について説明する。この形式の隠しピボット丁番は、扉Ｃの上側を枢支するための隠しピボット丁番Ｄと、扉Ｃの下側を枢支するための隠しピボット丁番Ｄ’の二種類で構成される。扉Ｃの上側を枢支する隠しピボット丁番Ｄには、扉Ｃの上面から突出するピボット１が備えられている。また、扉Ｃの下側を枢支する隠しピボット丁番Ｄ’には、扉Ｃの下面から突出して扉Ｃを下側から支えるピボット１’が備えられている。大きくて重い扉Ｃをこれら２本のピボット１，１’で枢支してそれらを中心としてスムーズに開閉できる。
【００２８】
扉Ｃの上側を枢支する隠しピボット丁番Ｄについて詳細に説明する。この隠しピボット丁番Ｄを扉Ｃの上隅に取り付けた状態を図２に示す。そして、この隠しピボット丁番Ｄに備えられている上側のピボット１をケース２から突出させた状態と引っ込めた状態を図３(ａ)、(b)に示す。また、この隠しピボット丁番Ｄに備えられている調整ネジ４により扉Ｃを左右調整する様子を図４に示す。さらに、この調整ネジ４により扉Ｃを前後調整する様子を図５に示す。
なお、左右方向とは、図１における左右方向を、前後方向とは、図１の紙面に直角の方向を、上下方向とは、図１における上下方向を指すものとする。
【００２９】
この隠しピボット丁番Ｄは、図２に示すように、扉Ｃの上隅に埋め込まれるケース２と、このケース２内で前後と左右に移動させ得る保持部材３をケース２内に備えている。この保持部材３内には前記ピボット１が配置されている。また、前記保持部材３をケース２内で前後と左右にスライドさせるための調整ネジ４が、保持部材３に螺合させてある。さらに、前記保持部材３を所定位置に定置するためのロックネジ５がケース２に備えられている。
【００３０】
ピボット１は保持部材３に上下動自在に嵌め込んであり、バネ1aによってケース２から突出する方向に付勢させてある。また、ピボット１にはつまみ1bが取り付けてあり、その先は窓孔2aに臨ませてある。ロックネジ５を緩めてロック状態を解除した上で、このつまみ1bを手指でつまんで図３(b)に示すようにバネ1aの弾撥力に逆らってピボット１を押し下げると、ケース２内に引っ込み、手指を離すと、バネ1aの弾撥力で図３(a)に示すようにピボット１が自動的にケース２から突出する。
扉Ｃの下面から突出しているピボット（後述する）で扉Ｃを下側から支えておき、上側のピボット１をバネ1aの弾撥力に逆らって引っ込めておきながら位置合わせすると、バネ1aの弾撥力でピボット１が自動的に突出し、枠体Ｂの上面所定位置に取り付けてあるピボット受けＥの窪みｅに嵌まり込み、ロックネジ５を締め付けると扉Ｃの上側を極めて簡単に所定位置に設置できる。
【００３１】
上側に位置するピボット１はケース２内で前後左右に移動させ得る保持部材３で保持されていて安定している。保持部材３に螺合させてある調整ネジ４を締め付けたり、逆に、緩めることによって、扉Ｃの上側を安定した状態のもとに左右調整できる。図４(a)に示す位置が扉Ｃのニュートラルの位置とすると、調整ネジ４を左右いずれかの方向に回すことにより、図４(b)に示すように図４(a)のニュートラルの位置から扉Ｃを左側に、逆に、調整ネジ４を先程とは反対方向に回すことにより、図４(c)に示すように図４(a)のニュートラルの位置から扉Ｃを右側に移動させることができる。このように、扉Ｃの上側を安定した状態のもとに左右調整できる。扉Ｃの上側の左右調整はロックネジ５を緩めた状態で行い、調整後ロックネジ５を締め付けてロックする。
【００３２】
さらに、ケース２に対して調整ネジ４を前後方向（図５の左右方向）に動かすことによって、扉Ｃの上側を安定して前後調整できる。図５(a)に示す位置が扉Ｃのニュートラルの位置とすると、調整ネジ４を長孔4aに沿って図５の左側に移動させると、図５(b)に示すように図５(a)のニュートラルの位置から扉Ｃを前側に、逆に、調整ネジ４を先程とは反対方向の右側に移動させると、図５(c)に示すように図５(a)のニュートラルの位置から扉Ｃを後側に移動させることができる。このように、扉Ｃの上側を安定した状態のもとに前後調整できる。扉Ｃの上側の前後調整はロックネジ５を緩めた状態で行い、調整後ロックネジ５を締め付けてロックする。
【００３３】
次に、扉Ｃの下側を枢支する隠しピボット丁番Ｄ’について詳細に説明する。この隠しピボット丁番Ｄ’を扉Ｃの下隅に取り付けた状態を図６に示す。そして、この隠しピボット丁番Ｄ’に備えられている下側のピボット１’を利用して扉Ｃを上下調整する様子を図７に示す。また、この隠しピボットちＤ’に備えられている調整ネジ４’により扉Ｃを左右調整する様子を図８に示す。さらに、この調整ネジ４’により扉Ｃを前後調整する様子を図９に示す。
【００３４】
この隠しピボット丁番Ｄ’は、図６に示すように、扉Ｃの下隅に埋め込まれるケース２’と、このケース２’内で前後と左右に移動させ得る保持部材３’をケース２’内に備えている。この保持部材３’内には前記ピボット１’が配置されている。また、前記保持部材３’をケース２’内で前後と左右にスライドさせるための調整ネジ４’が、保持部材３’に螺合させてある。さらに、前記保持部材３’を所定位置に定置するためのロックネジ５’がケース２’に備えられている。
【００３５】
ピボット１’は保持部材３’に上下動自在に嵌め込んであり、上下調整用のナット６’によってケース２’からの突出量を調整できる。また、ピボット１’は枠体Ｂの下隅に取り付けられているピボット受けＥ’で支受されている。扉Ｃの下面から突出しているこのピボット１’で大きくて重い扉Ｃを下側から支えることができる。
上下調整用のナット２’を左右いずれかの方向に回すと、図７(a)の状態から図７(b)に示すように、扉Ｃを上げることができる。ナット２’を先程とは逆の方向に回すと、扉Ｃを下げることができる。このように、扉Ｃの下側を上下調整できる。扉Ｃの下側の上下調整はロックネジ５を緩めた状態で行い、調整後ロックネジ５を締め付けてロックする。
なお、ピボット受けＥ’の支受部分において、ピボット１’に外鍔1a'を形成して強度を高めてある。
【００３６】
下側に位置するピボット１’もケース２’内で前後左右に移動させ得る保持部材３’で保持されていて安定している。保持部材３’に螺合させてある調整ネジ４’を締め付けたり、逆に、緩めることによって、扉Ｃの下側を安定した状態のもとに左右調整できる。図８(a)に示す位置が扉Ｃのニュートラルの位置とすると、調整ネジ４’を左右いずれかの方向に回すことにより、図８(b)に示すように図８(a)のニュートラルの位置から扉Ｃを右側に、逆に、調整ネジ４’を先程とは反対方向に回すことにより、図８(c)に示すように図８(a)のニュートラルの位置から扉Ｃを左側に移動させることができる。このように、扉Ｃの下側を安定した状態のもとに左右調整できる。扉Ｃの下側の左右調整はロックネジ５を緩めた状態で行い、調整後ロックネジ５を締め付けてロックする。
【００３７】
さらに、ケース２’に対して調整ネジ４’を前後方向（図９の左右方向）に動かすことによって、扉Ｃの下側を安定した状態のもとに前後調整できる。図９(a)に示す位置が扉Ｃのニュートラルの位置とすると、調整ネジ４’を長孔4a'に沿って図９の左側に移動させることにより、図９(b)に示すように図９(a)のニュートラルの位置から扉Ｃを前側に、逆に、調整ネジ４’を先程とは反対方向の右側に移動させることにより、図９(c)に示すように図９(a)のニュートラルの位置から扉Ｃを後側に移動させることができる。このように、扉Ｃの下側を安定した状態のもとに前後調整できる。扉Ｃの下側の前後調整はロックネジ５を緩めた状態で行い、調整後ロックネジ５を締め付けてロックする。
【００３８】
ピボット受けを枠体に対して変位させることができない形式の隠しピボット丁番にあっては、図１０に示すように、下側のピボット１’を受けるピボット受けＥ’に床着地調整ネジ７’が備えられている。床面Ａがクッション性を有していて扉Ｃの重みで床面ＡがＡ’まで沈下する場合において、この床着地調整ネジ７’を締め付けたり、逆に、緩めると、下側のピボット１’を受けるピボット受けＥ’からの突出量を調整できる。従って、床面Ａがクッション性を有していて扉Ｃの重みで床面ＡがＡ’まで沈下する場合においても、この床着地調整ネジ７’をピボット受けＥ’の下面から突出させることにより、扉Ｃを下側から安定して支えることができる。
【００３９】
ピボット受けを枠体に対して変位させることができない形式の隠しピボット丁番にあっては、扉Ｃを枠体Ｂに最も近づけた状態ｓでは、図１１(a)に示すように、扉Ｃを例えば角度βだけ開くことができる。これに対して、扉Ｃをそれよりも離して枠体Ｂとの間隔をＳに調整した場合には、図１１(b)に示すように、扉Ｃを例えば角度β’だけ開けることができる。この場合における角度β’は角度βよりも多少大きくなるから、扉Ｃの調整具合により扉Ｃの開き角度を合わせて調整できる。なお、図１１中の１，１’が扉Ｃの回動中心である。
【００４０】
なお、少なくとも調整ネジ４と４’、ロックネジ５と５’ならびにケース２，２’を扉Ｃに取り付けるためのネジは、上側の隠しピボット丁番に用いる場合と下側の隠しピボット丁番に用いる場合とで共用することができる。
【００４１】
次に、ピボット受けを枠体に対して変位させることができる形式の隠しピボット丁番について説明する。この形式の隠しピボット丁番は、扉Ｃの上側を枢支するための隠しピボット丁番Ｆと、扉Ｃの下側を枢支するための隠しピボット丁番Ｆ’の二種類で構成される。扉Ｃの上側を枢支する隠しピボット丁番Ｆには、扉Ｃの上面から突出するピボット11が備えられている。また、扉Ｃの下側を枢支する隠しピボット丁番Ｆ’には、扉Ｃの下面から突出して扉Ｃを下側から支えるピボット11’が備えられている。大きくて重い扉Ｃをこれら２本のピボット11，11’で枢支してそれらを中心としてスムーズに開閉できる。
【００４２】
扉Ｃの上側を枢支する隠しピボット丁番Ｆについて詳細に説明する。この隠しピボット丁番Ｆを扉Ｃの上隅に取り付けた状態を図１２に示す。そして、この隠しピボット丁番Ｆに備えられている上側のピボット11をケース21から突出させた状態と引っ込めた状態を図１４(ａ)、(b)に示す。また、この隠しピボット丁番Ｆに備えられている調整ネジ41により扉Ｃを左右調整する様子を図１５に示す。
なお、左右方向とは、図１２における左右方向を、前後方向とは、図１２の紙面に直角の方向を、上下方向とは、図１２における上下方向を指すものとする。
【００４３】
この隠しピボット丁番Ｆは、図１３に示すように、扉Ｃの上隅に埋め込まれるケース21と、このケース21内で前後左右に移動させ得る保持部材31をケース21内に備えている。この保持部材31内には前記ピボット11が配置されている。また、前記保持部材31をケース21内で左右にスライドさせるための調整ネジ41が、保持部材31に螺合させてある。さらに、前記保持部材３を所定位置に定置するためのロックネジ51がケース21に備えられている。
【００４４】
ピボット11は保持部材31に上下動自在に嵌め込んであり、バネ11aによってケース21から突出する方向に付勢させてある。また、ピボット11にはつまみ11bが取り付けてあり、その先は窓孔21aに臨ませてある。ロックネジ51を緩めてロック状態を解除した上で、このつまみ11bを手指でつまんで図１４(b)に示すようにバネ11aの弾撥力に逆らってピボット11を押し下げると、ケース21内に引っ込み、手指を離すと、バネ11aの弾撥力で図１４(a)に示すようにピボット11が自動的にケース21から突出する。
扉Ｃの下面から突出しているピボット（後述する）で扉Ｃを下側から支えておき、上側のピボット11をバネ11aの弾撥力に逆らって引っ込めておきながら位置合わせすると、バネ11aの弾撥力でピボット11が自動的に突出し、ピボット受けＧの孔ｇ（図１３(ａ)、(b)参照）を経て枠体Ｂの上面所定位置に形成されている窪みに嵌まり込み、ロックネジ51を締め付けると扉Ｃの上側を極めて簡単に所定位置に設置できる。
【００４５】
上側に位置するピボット11はケース21内で左右に移動させ得る保持部材31で保持されていて安定している。保持部材31に螺合させてある調整ネジ41を締め付けたり、逆に、緩めることによって、扉Ｃの上側を安定した状態のもとに左右調整できる。図１５(a)に示す位置が扉Ｃのニュートラルの位置とすると、調整ネジ41を左右いずれかの方向に回すことにより、図１５(b)に示すように図１５(a)のニュートラルの位置から扉Ｃを左側に、逆に、調整ネジ41を先程とは反対方向に回すことにより、図１５(c)に示すように図１５(a)のニュートラルの位置から扉Ｃを右側に移動させることができる。このように、扉Ｃの上側を安定した状態のもとに左右調整できる。扉Ｃの上側の左右調整はロックネジ51を緩めた状態で行い、調整後ロックネジ51を締め付けてロックする。
【００４６】
次に、扉Ｃの下側を枢支する隠しピボット丁番Ｆ’について詳細に説明する。この隠しピボット丁番Ｄ’を扉Ｃの下隅に取り付けた状態を図１６に示す。そして、この隠しピボット丁番Ｄ’に備えられている下側のピボット11’を利用して扉Ｃを上下調整する様子を図１７に示す。また、この隠しピボット丁番Ｄ’に備えられている調整ネジ41’により扉Ｃを左右調整する様子を図１８に示す。
【００４７】
この隠しピボット丁番Ｄ’は、図１６に示すように、扉Ｃの下隅に埋め込まれるケース21’と、このケース21’内で前後左右に移動させ得る保持部材31’をケース21’内に備えている。この保持部材31’内には前記ピボット11’が配置されている。また、前記保持部材31’をケース21’内で左右にスライドさせるための調整ネジ41’が、保持部材31’に螺合させてある。さらに、前記保持部材31’を所定位置に定置するためのロックネジ51’がケース21’に備えられている。
【００４８】
ピボット11’は保持部材31’に上下動自在に嵌め込んであり、上下調整用のナット61’によってケース21’からの突出量を調整できる。また、ピボット11’は枠体Ｂの下隅に取り付けられているピボット受けＧ’で支受されている。扉Ｃの下面から突出しているこのピボット11’で大きくて重い扉Ｃを下側から支えることができる。
上下調整用のナット61’を左右いずれかの方向に回すと、図１７(a)の状態から図１７(b)に示すように、扉Ｃを上げることができる。ナット61’を先程とは逆の方向に回すと、扉Ｃを下げることができる。このように、扉Ｃの下側を上下調整できる。扉Ｃの下側の上下調整はロックネジ51’を緩めた状態で行い、調整後ロックネジ51’を締め付けてロックする。
なお、ピボット受けＧ’の支受部分において、ピボット11’に外鍔11a'を形成して強度を高めてある。
【００４９】
下側に位置するピボット11’もケース21’内で前後左右に移動させ得る保持部材31’で保持されていて安定している。保持部材31’に螺合させてある調整ネジ41’を締め付けたり、逆に、緩めることによって、扉Ｃの下側を安定した状態のもとに左右調整できる。図１８(a)に示す位置が扉Ｃのニュートラルの位置とすると、調整ネジ41’を左右いずれかの方向に回すことにより、図１８(b)に示すように図１８(a)のニュートラルの位置から扉Ｃを右側に、逆に、調整ネジ41’を先程とは反対方向に回すことにより、図１８(c)に示すように図１８(a)のニュートラルの位置から扉Ｃを左側に移動させることができる。このように、扉Ｃの下側を安定した状態のもとに左右調整できる。扉Ｃの下側の左右調整はロックネジ51’を緩めた状態で行い、調整後ロックネジ51’を締め付けてロックする。
【００５０】
ピボット受けを枠体に対して変位させることができる形式の隠しピボット丁番にあっては、上側のピボット受けＧと下側のピボット受けＧ’がともに枠体に対して変位させることができるように取り付けられている。その一例を挙げるが、上側の場合と下側の場合とでは上下対称的となっているだけで原理は上側の場合も下側の場合も同じであるので、ここでは、上側の場合のみを図１９以降に図示し、それらに基づいてその機構と原理とを説明する。
【００５１】
図１９(b)、(c)、図２０においてｇ’で示すように、ピボットを受けるピボット受けＧの先端部、すなわち、枠体Ｂの垂直面に対峙する垂直方向の部分を外突弧状とし、このピボット受けＧを支受する縦長の支え金具Ｈの右半分を前記ピボット受けＧの外突弧面ｇ’と同一の凹弧面71とし、前記支え金具Ｈの左半分をこの凹弧面71に連続してそれより低くなる同一の凹弧面72としてある。そして、ピボット受けＧと支え金具Ｈとは、支え金具Ｈの左右２つの凹弧面71、72でそれぞれ調整ネジ73、73により連結されている。
【００５２】
この場合には、図２１(a)の状態から同図(b)に示すように、ピボット受けＧの外突弧面ｇ’の左半分が支え金具Ｈの高い凹弧面71でなく低い凹弧面72で支えられるようにその支受位置が変わることにより、ピボット受けＧと扉Ｃとの隙間がＴからｔと小さくなり、閉扉時に指が挟まれにくくなる。
また、図２１(a)と同図(b)とを対比すれば明らかなように、ピボット受けＧの外突弧面ｇ’の支えられる位置が変わっても扉Ｃとの隙間ｕとＵが大きく変わることがなく、さらに、ピボット受けＧと支え金具Ｈとの隙間Ｖも小さいので、扉Ｃを安定して支えることができる。
【００５３】
図１９(a)は、図１３(a)におけるＸＩＸ−ＸＩＸ線から見た場合の図である。ピボット受けＧと支え金具Ｈとを連結する左右２つの調整ネジ73、73のうち、右側に位置する調整ネジ73を図１９(b)の右側に示すように締め付け、左側に位置する調整ネジ73を緩めることにより、ピボット受けＧの外突弧面ｇ’の右半分を支え金具Ｈの右側の凹弧面71に密接して固定することができる。一方、他方の凹弧面72では、ピボット受けＧの外突弧面ｇ’の左半分をこの凹弧面72に対して浮いた状態とすることができる。
このようにすると、支え金具Ｈの左右２つの凹弧面71、72のいずれかの面（右側の凹弧面71か左側の凹弧面72）でピボット受けＧが支えられ、いずれの場合にもピボット受けＧが安定して支えられるので、扉Ｃをより安定して支えることができる。
【００５４】
図１９(c)の右側と左側に示すように、ピボット受けＧの外突弧面ｇ’の奥である支え金具Ｈの右側の凹弧面71には、支えネジ74が取り付けられている。この支えネジ74は、ピボット受けＧの外突弧面ｇ’の右半分が支え金具Ｈの右側の凹弧面71に対して浮いた状態にあるとき、それを奥から支えるものである。ピボット受けＧの外突弧面ｇ’の右半分が支え金具Ｈの右側の凹弧面71で支えられているときには、支えネジ74は図１９(c)の右側に示すようにねじ込まれている。これに対して、ピボット受けＧの外突弧面ｇ’の左半分が支え金具Ｈの左側の凹弧面72で支えられ、ピボット受けＧの外突弧面ｇ’の右半分が右側の凹弧面71に対して浮いた状態にあるときには、この支えネジ74は図１９(c)の左側に示すように緩められ、ピボット受けＧの外突弧面ｇ’の右半分を奥から支える。従って、ピボット受けＧがより安定して支えられるので、扉Ｃをさらに安定して支えることができる。
【００５５】
なお、支え金具Ｈは、図１９(a)において75で示す３本の固定ネジにより３箇所において枠体Ｂに固定されている。その１つの位置において切断した断面図が、図１９(d)である。
【００５６】
図２０に示すように、ピボット受けＧの外突弧面ｇ’の左右方向における中央に縦方向の凹溝76を、支え金具Ｈの凹弧面71と凹弧面72との境界線上に前記凹溝76と対峙する縦方向の凸条77を形成し、両者を互いに嵌合させておくと、上述したようにピボット受けＧの支受位置を変える際、それらが滑り止めの役をするので、ピボット受けＧの位置を安定かつ確実に変えることができる。
【００５７】
ピボット受けＧの先端部、すなわち、枠体Ｂの垂直面に対峙する垂直方向の面と、このピボット受けＧを支受する縦長の支え金具Ｈの面を、上に例示した場合の突弧面ｇ’と凹弧面71、72とは異なっていずれも平坦面とした場合には、図２２(a)におけるｕ’と同図(b)におけるＵ’とを対比すれば明らかなように、扉Ｃが枠体Ｂから大きく離れるように移動するので、その幅が大き過ぎて使用不可能である。また、図２２(b)においてＶ’で示すように、ピボット受けＧとこれを支える支え金具Ｈとの隙間も極めて大きく、安定性に欠けるので、使用不可能である。
【００５８】
なお、図２１(a)の状態から同図(b)に示すように、ピボット受けＧの外突弧面ｇ’の左半分が支え金具Ｈの高い凹弧面71でなく低い凹弧面72で支えられるようにその支受位置を変えることにより、扉Ｃの上側を安定した状態のもとに前後調整できる。また、図示はしないが、上側の場合と同様に、下側のピボット受けの外突弧面の左半分が下側の支え金具の高い凹弧面でなく低い凹弧面で支えられるようにその支受位置を変えることにより、扉Ｃの下側を安定した状態のもとに前後調整できる。
【００５９】
また、ピボット受けＧの外突弧面ｇ’の左半分が支え金具Ｈの高い凹弧面71でなく低い凹弧面72で支えられるようにその支受位置を変えることができるようにしてあると、図２３に示すように、扉の内側であって枠体の周囲に沿って戸当りを取り付けた場合でも、開閉時扉Ｃがこの戸当りＷに当らないように調整できる。例えば、図２３(a)に示すように、ピボット受けＧの外突弧面ｇ’の右半分が支え金具Ｈの高い凹弧面71で支えられている状態で扉Ｃを開けると、同図(b)において黒く塗りつぶしたように、扉Ｃの角部分が戸当りＷに当る。これに対して、同図(c)に示すように、ピボット受けＧの外突弧面ｇ’の左半分が支え金具Ｈの高い凹弧面71でなく低い凹弧面72で支えられるようにその支受位置を変えることにより、開閉時扉Ｃがこの戸当りＷに当らない。
【００６０】
ピボット受けを枠体に対して変位させることができる形式の隠しピボット丁番にあっては、ピボット受けＧが図２５に示すように枠体に対して角度調整されていないとき、扉Ｃが枠体に対してニュートラルの場合、すなわち、扉Ｃとピボット受けＧとの隙間が同図(a)の最上段においてＳ１で示す場合には、同図(a)の中段においてＳ２で、また、同図(a)の最下段においてＳ３で示すように、扉Ｃの開き角度を調整できる。また、扉Ｃを枠体に対して近づけた場合、すなわち、扉Ｃとピボット受けＧとの隙間が同図(b)の最上段においてｓ１となるように扉Ｃをピボット受けＧに近づけた場合には、同図(b)の中段においてｓ２で、また、同図(b)の最下段においてｓ３で示すように、扉Ｃの開き角度を調整できる。さらに、扉Ｃを枠体から最も離した場合、すなわち、扉Ｃとピボット受けＧとの間隔が同図(c)の最上段においてＳ１’となるように扉Ｃをピボット受けＧから最も離した場合には、同図(c)の中段においてＳ２’で、また、同図(c)の最下段においてＳ３’で示すように、扉Ｃの開き角度を調整できる。なお、図２５(a)〜(c)中の１が扉Ｃの回動中心である。
【００６１】
ピボット受けを枠体に対して変位させることができる形式の隠しピボット丁番にあって、ピボット受けＧが図２６に示すように枠体に対してβ１だけ角度調整されているとき、扉Ｃが枠体に対してニュートラルの場合、すなわち、扉Ｃとピボット受けＧとの隙間が同図(a)の最上段においてＳ１１で示す場合には、同図(a)の中段においてＳ１２で、また、同図(a)の最下段においてＳ１３で示すように、扉Ｃの開き角度を調整できる。また、扉Ｃを枠体に対して最も近づけた場合、すなわち、扉Ｃとピボット受けＧとの隙間が同図(b)の最上段においてｓ１１となるように扉Ｃをピボット受けＧに近づけた場合には、同図(b)の中段においてｓ１２で、また、同図(b)の最下段においてｓ１３で示すように、扉Ｃの開き角度を調整できる。さらに、扉Ｃを枠体から最も離した場合、すなわち、扉Ｃとピボット受けＧとの間隔が同図(c)の最上段においてＳ１１’となるように扉Ｃをピボット受けＧから最も離した場合には、同図(c)の中段においてＳ１２’で、また、同図(c)の最下段においてＳ１３’で示すように、扉Ｃの開き角度を調整できる。なお、図２６(a)〜(c)中の１が扉Ｃの回動中心である。
【００６２】
また、ピボット受けＧが図２６の場合と同様に枠体に対してβ１だけ角度調整されているとき、扉Ｃが枠体に対してニュートラルの場合、また、扉Ｃをピボット受けＧに近づけた場合、さらに、扉Ｃをピボット受けＧから最も離した場合には、図２７(a)〜(c)に示すように、扉Ｃをいずれも角度β２だけ開くことができる。
【００６３】
ピボット受けを枠体に対して変位させることができる形式の隠しピボット丁番にあっては、下側の場合も上述した上側の場合と全く同じ原理で同じように動作させることができる。
【００６４】
なお、少なくとも調整ネジ41と41’、ロックネジ51と51’、ケース21，21’を扉Ｃに取り付けるためのネジならびに支え金具Ｈ、Ｈ’を枠体Ｂに取り付けるための固定ネジ上側の隠しピボット丁番に用いる場合と下側の隠しピボット丁番に用いる場合とで共用することができる。
【００６５】
ピボット受けを枠体に対して変位させることができる形式の隠しピボット丁番にあっても、図２４に示すように、下側のピボット11’を受けるピボット受けＧ’に床着地調整ネジ78’が備えられている。床面Ａがクッション性を有していて扉Ｃの重みで床面ＡがＡ’まで沈下する場合において、この床着地調整ネジ78’を締め付けたり、逆に、緩めると、下側のピボット11’を受けるピボット受けＧ’からの突出量を調整できる。従って、床面Ａがクッション性を有していて扉Ｃの重みで床面ＡがＡ’まで沈下する場合においても、この床着地調整ネジ78’をピボット受けＧ’の下面から突出させることにより、扉Ｃを下側から安定して支えることができる。
【図面の簡単な説明】
【００６６】
【図１】ピボット受けを枠体に対して変位させることができない形式の隠しピボット丁番を、上隅と下隅に備えたピボット式開閉扉の設置状態の一例を示す正面図で、一部を切り欠いて示す。
【図２】上側の隠しピボット丁番を扉の上隅に取り付けた状態を枠体とともに示す拡大断面図である。
【図３】上側の隠しピボット丁番のピボットをケースから突出させた状態と引っ込めた状態を枠体とともに示す断面図である。
【図４】上側の調整ネジにより扉を左右調整する様子を示す断面図で、(a)はニュートラルの状態を、(b)は、(a)のニュートラルの状態から扉を左側に移動させた状態を、(c)は、(a)のニュートラルの状態から扉を右側に移動させた状態を示す。
【図５】上側の調整ネジにより扉を前後調整する様子を示す断面図で、(a)はニュートラルの状態を、(b)は、(a)のニュートラルの状態から扉を前側に移動させた状態を、(c)は、(a)のニュートラルの状態から扉を後側に移動させた状態を示す。
【図６】下側の隠しピボット丁番を扉の下隅に取り付けた状態を枠体とともに示す拡大断面図である。
【図７】下側の隠しピボット丁番のピボットを利用して扉を上下調整する様子を示す断面図である。
【図８】下側の調整ネジにより扉を左右調整する様子を示す断面図で、(a)はニュートラルの状態を、(b)は、(a)のニュートラルの状態から扉を右側に移動させた状態を、(c)は、(a)のニュートラルの状態から扉を左側に移動させた状態を示す。
【図９】下側の調整ネジにより扉を前後調整する様子を示す断面図で、(a)はニュートラルの状態を、(b)は、(a)のニュートラルの状態から扉を前側に移動させた状態を、(c)は、(a)のニュートラルの状態から扉を後側に移動させた状態を示す。
【図１０】下側のピボットを受けるピボット受けに、床着地調整ネジが備えられている状況を、その作用とともに示す拡大断面図である。
【図１１】扉の調整具合により扉の開き角度を合わせて調整できることを説明するための平面図で、(a)は扉を枠体に最も近づけた場合を、(b)はそれよりも扉を離した場合を示す。
【図１２】ピボット受けを枠体に対して変位させることができる形式の隠しピボット丁番を、上隅と下隅に備えたピボット式開閉扉の設置状態の一例を示す正面図で、一部を切り欠いて示す。
【図１３】上側の隠しピボット丁番を扉の上隅に取り付けた状態を枠体とともに示す拡大図で、(a)はその平面図、(b)はその断面図、(c)は扉を端面方向から見たときの側面図である。
【図１４】上側の隠しピボット丁番のピボットをケースから突出させた状態と引っ込めた状態を枠体とともに示す断面図である。
【図１５】上側の調整ネジにより扉を左右調整する様子を示す断面図で、(a)はニュートラルの状態を、(b)は、(a)のニュートラルの状態から扉を左側に移動させた状態を、(c)は、(a)のニュートラルの状態から扉を右側に移動させた状態を示す。
【図１６】下側の隠しピボット丁番を扉の下隅に取り付けた状態を枠体とともに示す拡大図で、(a)はその平面図、(b)はその断面図、(c)は扉を端面方向から見たときの側面図である。
【図１７】下側の隠しピボット丁番のピボットを利用して扉を上下調整する様子を示す断面図である。
【図１８】下側の調整ネジにより扉を左右調整する様子を示す断面図で、(a)はニュートラルの状態を、(b)は、(a)のニュートラルの状態から扉を右側に移動させた状態を、(c)は、(a)のニュートラルの状態から扉を左側に移動させた状態を示す。
【図１９】図１３(a)におけるＸＩＸ−ＸＩＸ線から見た場合の図で、(a)はその拡大図、(b)は調整ネジが取り付けられている部分の断面図、(c)は支えネジが取り付けられている部分の断面図、(d)は固定ネジが取り付けられている部分の断面図である。
【図２０】上側のピボット受けと上側の支え金具との関係を示す断面図で、両者を分離した状態で示す。
【図２１】上側の隠しピボット丁番の機能を説明するための平面図で、(a)はピボット受けの外突弧面の右半分が支え金具の高い凹弧面で支えられている状態を、(b)はピボット受けの外突弧面の左半分が支え金具の低い凹弧面で支えられている状態を示す。
【図２２】ピボット受けと支え金具との接合面が互いに平坦である場合の欠点を説明するための平面図である。
【図２３】上側のピボット受けを角度調整しない場合において、枠体に戸当りが取り付けられているときの上側の隠しピボット丁番の機能を説明するための平面図で、(a)はピボット受けの外突弧面の右半分が支え金具の高い凹弧面で支えられている状態を、(b)はこの状態で扉を開閉したとき扉が戸当りに接触する状態を、(c)はピボット受けの外突弧面の左半分が支え金具の低い凹弧面で支えられるように支受位置を変えると、扉が戸当りに接触しない状態を示す。
【図２４】下側のピボットを受けるピボット受けに、床着地調整ネジが備えられている状況を、その作用とともに示す拡大断面図である。
【図２５】ピボット受けが枠体に対して角度調整されていない場合において、扉の調整具合により扉の開き角度を多様に調整できることを説明するための平面図で、(a)はニュートラルの場合を、(b)はニュートラルの状態から扉を枠体に近づけた場合を、(c)はニュートラルの状態よりも扉を枠体から離した場合を示す。
【図２６】ピボット受けが枠体に対してβ１だけ角度調整されている場合において、扉の調整具合により扉の開き角度を多様に調整できることを説明するための平面図で、(a)はニュートラルの場合を、(b)はニュートラルの状態から扉を枠体に近づけた場合を、(c)はニュートラルの状態よりも扉を枠体から離した場合を示す。
【図２７】ピボット受けが枠体に対して角度調整されている場合において、扉の調整具合により扉の開き角度を最大とした状態を示す平面図で、(a)はニュートラルの場合を、(b)はニュートラルの状態から扉を枠体に近づけた場合を、(c)はニュートラルの状態よりも扉を枠体から離した場合を示す。
【符号の説明】
【００６７】
１，１’，11，11’…ピボット、1a…バネ、２，２’，21，21’…ケース、３，３’，31，31’…保持部材、４，４’，41，41’…調整ネジ、５，５’，51，51’…ロックネジ、６’，61’…ナット、７’，78’…床着地調整ネジ、71，72…凹弧面、Ａ…床面、Ｂ…枠体、Ｃ…扉、Ｄ，Ｄ’，Ｆ，Ｆ’…隠しピボット丁番、Ｅ，Ｅ’，Ｇ，Ｇ’…ピボット受け、Ｈ…支え金具、ｇ’…外突弧面。
【図１】
2006257861.tif 000003
【図２】
2006257861.tif 000004
【図３】
2006257861.tif 000005
【図４】
2006257861.tif 000006
【図５】
2006257861.tif 000007
【図６】
2006257861.tif 000008
【図７】
2006257861.tif 000009
【図８】
2006257861.tif 000010
【図９】
2006257861.tif 000011
【図１０】
2006257861.tif 000012
【図１１】
2006257861.tif 000013
【図１２】
2006257861.tif 000014
【図１３】
2006257861.tif 000015
【図１４】
2006257861.tif 000016
【図１５】
2006257861.tif 000017
【図１６】
2006257861.tif 000018
【図１７】
2006257861.tif 000019
【図１８】
2006257861.tif 000020
【図１９】
2006257861.tif 000021
【図２０】
2006257861.tif 000022
【図２１】
2006257861.tif 000023
【図２２】
2006257861.tif 000024
【図２３】
2006257861.tif 000025
【図２４】
2006257861.tif 000026
【図２５】
2006257861.tif 000027
【図２６】
2006257861.tif 000028
【図２７】
2006257861.tif 000029